(57)【要約】【課題】調味料等液体の計測において多量から少量にわたる多様な量の計測を目視しやすい形である程度の正確性を持って実現する。【解決手段】小さじ一杯ほどの少量を量るとき容易に目視できるよう、キャップ内部に仕切りを設けることでそこに細長い空間を形成し、その部分で少量の液体を量ることを容易とすると共に、外部の広い空間と併せることで多量の液体を量ることにも対応する。【選択図】図１
2007022545.tif 000002
【特許請求の範囲】
【請求項１】
空気圧を利用することによって液体を好きな量だけキャップ内部に溜め、そこに仕切りを設けることで少量から多量のものまで幅広い分量の計測を可能にしたキャップ。
【発明の詳細な説明】
【技術分野】
【０００１】
本発明は、液体調味料などを量る計量キャップ・ボトルに関する。
【背景技術】
【０００２】
料理などにおいて調味料などの量を量る際、計量スプーンを用いて大さじ１杯小さじ２杯などという表現が用いられる。これらはその作業において量を量るためだけに、本来その調味料を加える容器とは別の器具（さじ等）や計量カップに調味料を移して量を量った後、改めて本来の料理にそれを加えなければならないといった煩わしさが存在し、またその過程で調味料がこぼれてしまう可能性も少なくないため不便であった。
【０００３】
一方、洗濯用品業界における液体洗剤エマールにおいては液体洗剤の量をそのキャップの中で計量することのできるボトルが用いられており、その有効性は多くの人々に認められているものの、その用途は液体洗剤の中のみに留まっており二十年近く件の料理業界には用いられていない。また、これを料理業界に用いるとしてもこのままでは料理における多種にわたる分量を一つのキャップで量る（大さじ５杯とか小さじ１／２杯など）ことには無理が生じてしまう。
【０００４】
花王株式会社
東京都中央区日本橋茅場町１−１４−１０
０３−５６３０−５０２０
上記の会社が品名洗濯用合成洗剤エマールのボトルとして長年に渡り使用。
【発明の開示】
【発明が解決しようとする課題】
【０００５】
上述の如く、従来技術に係る調味料のボトルは、それ自体に計量機能が存在せずに他の計量器具を必要とし、また他業界におけるボトルにおいてもその流用には不都合が生じる。少量の液体を計測する際、その分量を容易に目視可能であると共に多量の液体を量ることも可能である必要があった。
【課題を解決するための手段】
【０００６】
本発明は、小さじ一杯ほどの少量を量るとき容易に目視できるよう、キャップ内部に仕切りを設けることでそこに細長い空間を形成し、その部分で少量の液体を量ることを容易とすると共に、外部の広い空間と併せることで多量の液体を量ることにも対応したことを最も主要な特徴とする。
【発明の効果】
【０００７】
本発明のワンタッチ計量、大さじ小さじ要らずは、従来二本以上の計量スプーンを必要としたり、計量カップを用いたりと手間もかかっていたものが、片手でボトルを押すだけで容易に調味料などを量ることができるようになったという利点がある。
【発明を実施するための最良の形態】
【０００８】
以下、本発明の実施の形態を図面に基づき詳細に説明する。
【０００９】
キャップ下部から伸びている管は、ボトルに圧力を加えた際、ボトル内部に存在する空気の圧力を利用してボトル内部の液体をキャップ内へと押し上げるためのものである。キャップ内において管に空けられた流出口７から押し上げられた液体が流出することでキャップ内部に液体が溜まり、代わりに空気が管の中に流れ込むことで平衡が保たれる。この限りにおいて管はボトルの底近くまで届く長さであることが望ましく、またボトルも圧力を容易に加えることが可能である程度に柔らかいことが必要とされる。
【００１０】
先述の方法で押し上げられた液体は管９に空けられた流出口７より図の１２で示される空間へと溜まり、少量の液体はこの部分で計測される。予め振られた目盛りの高さになるまでボトルに適度の圧力を加えることで量を調節することができ、計測後はボトルに加えた圧力を緩めてもキャップ内部へ流れ出した分は戻らない。なお、目視による目盛りを使った計測であることから、キャップに使われる素材は透明もしくは限りなく透明に近い半透明であることが要求される。
【００１１】
上記の状態から更にボトルへ圧力を加え続けると、空間１２に溜まってゆく液体はしきりに設けられた穴８より外側の空間１３へと流れ出す。多量の液体を量る際は、この空間１２と空間１３の総和（このとき空間１２の量は最大）に対して付された目盛りによってその量を目視することができる。穴８は空気圧を利用することの必要性から流出口７より下に存在しなければならず、またこの限りにおいて穴８より上部に存在する穴７から流出した液体が穴８を伝って外へ流れてしまわないよう、両穴の間隔はできるだけ離れていることが望まれる。他方、穴７から流れ出た液体が溜まるまでのタイムラグによる計測値の乱れを抑えるためには両穴の高低差が小さいことが必要とされる。以上を勘案すると両穴の位置は管９に対して１８０度正反対の方向に、穴８の上端より流出口７の下端が若干上になるよう配置されるべきであろう。さらに、注ぐときに傾けることを考えると穴８はキャップ外部の注ぎ口の方向に存在していることが望ましく、従って穴７はその反対の方向となる。
【００１２】
以上の方法によって計測された液体を、ボトルを傾けることで注ぎ口４から排出する。なお、注ぎ口４は後述する理由によりキャップの最端に位置していないため、キャップ内部において注ぎ口側の側面から注ぎ口へと至る部分（図の斜線部分）は全てキャップ素材で埋め尽くす若しくはしきりを設けるなどして、注ぐ際、この部分に液体が溜まってしまわないようにすることが望ましい。
【００１３】
本キャップにおける蓋は内部にしきり２と３を設ける。しきり２は注ぎ口４のキャップとの接合部分、しきり３は管９の上部にそれぞれ密着し、空気および液体の流れを遮断することでキャップの蓋を閉じたとき、圧力を加えても簡単には液体がキャップ内部へ流れ出さないようにする働きを有する。その弊害として注ぎ口を最端に設けることが難しくなるため、先述の処置が必要となる。
【実施例】
【００１４】
本キャップは計測可能な最大量が大きければ大きいほどキャップ本体が大きくなってしまう。そのため、実施においては利便性やボトルとのバランスなどを考えた上で目盛りの上限が設定されるであろう。数回に分けて量ることも可能なので、現実によく使われる量を対象として設計が行われることが望ましい。
【００１５】
また、砂糖などの固形物を図る際、それを水に溶かすことでその溶存量から分量を量ることも不可能ではないだろう。
【００１６】
更に言えば、本キャップの用途は料理業界に限ったものではなく、液体を量ることが必要な場合には広く用いることが可能であり、薬品および化粧品などもその独自の目盛りを付することによってこれを用いることができる。
【産業上の利用可能性】
【００１７】
料理等を始めとした、液体の量を少量から多量なものまである程度正確に量る必要性がある分野に利用可能である。
【図面の簡単な説明】
【００１８】
【図１】全体図
【図２】横から見た断面図
【符号の説明】
【００１９】
１    目盛り表示つき計量キャップの蓋
２    液体注ぎ口の蓋
３    管の蓋
４    液体の注ぎ口
５    目盛り表示つき計量キャップ
６    少量の液体に対する計量部分のしきり
７    吸い上げられた液体の流出口
８    ６で仕切られた空間を越えて計測する際に液体が外へ流れ出すための穴
９    液体を吸い上げるチューブ
１０  計量キャップとボトルを回しながらつけるねじ部分
１１  チューブ固定とボトルの空気を漏れにくくするための中が空洞の出っ張り部分
１２  ６で仕切られた内側の空間
１３  ６で仕切られた外側の空間
【図１】
2007022545.tif 000003
【図２】
2007022545.tif 000004